(57)【要約】【課題】利用者の行きたい階が、乗り込んだかごの不就役階であった場合、簡単かつ短時間で他のかごに乗り換えできるようにする。【解決手段】かごＢ，ＣはＢ２階及びＢ１階が不就役階であり、かごＤ，Ｅは１０階及び１１階が不就役階であるが、かごＢ〜Ｅには自己不就役階行先ボタンも設けてある。例えば、３階の利用者がかごＤに乗って１１階の行先ボタンを押すと、群管理盤（図示しない）はかごＡ〜Ｃの中から最も運行効率の良いかご、例えばかごＢを選択し、最も乗継ぎ停止時間が短い階床、例えば８階を選択する。これで、かごＢ，Ｄは共に８階に停止するとともに、かごＢに１１階の行先呼びを登録する。これで、かごＤの利用者はかごＢに乗り換えて、１１階へ行くことができる。【選択図】        図１
2004307075.tif 000002
【特許請求の範囲】
【請求項１】
就役階が異なるかごが複数台設置され、これらのかごを１群として運転管理する装置において、上記各かごには、これらのかごの不就役階であってもその不就役階の行先呼びを登録する行先ボタンを配置し、上記かご内でこのかごの不就役階の行先ボタンが操作されると、このかごと上記不就役階を就役階とするかごとが同一階に停止することを指令する運転制御手段を備えたことを特徴とするエレベーターの群管理装置。
【請求項２】
就役階が異なるかごが複数台設置され、これらのかごを１群として運転管理する装置において、上記各かごには、これらのかごの不就役階であってもその不就役階の行先呼びを登録する行先ボタンを配置し、上記各かごの中の第１のかご内で上記不就役階の行先ボタンにより行先呼びが登録されると、上記不就役階を就役階とするかごの中から第２のかごを選択する就役かご選択手段と、上記第１かごが停止する階と上記第２のかごが停止する階とが同一となる階を乗継ぎ階として選択する乗継ぎ階選択手段と、上記第２のかごが上記乗継ぎ階に停止すると、上記第１のかご内で登録された行先呼びを上記第２のかごの行先呼びとして登録する行先呼び登録手段とを備えたことを特徴とするエレベーターの群管理装置。
【請求項３】
不就役階を示す行先ボタンを、就役階を示す行先ボタンと区別する自号機不就役階表示手段を設けたことを特徴とする請求項２記載のエレベーターの群管理装置。
【請求項４】
第１及び第２のかごに乗継ぎ階を報知する乗継ぎ階表示手段を設けたことを特徴とする請求項２又は請求項３記載のエレベーターの群管理装置。
【発明の詳細な説明】
【０００１】
【発明の属する技術分野】
この発明は、就役階が異なるかごが複数台設置されたエレベーターを群管理運転する装置に関するものである。
【０００２】
【従来の技術】
従来のエレベーターの群管理装置においては、低層用制御手段を有する低層用群管理エレベーターと、高層用制御手段を有する高層用群管理エレベーターとを備えた複数群管理エレベーターにおいて、低層用群管理エレベーターまたは高層用群管理エレベーターの少なくともいずれか一方に乗り継ぎ用ボタンを配設し、この乗り継ぎ用ボタンを押すと低層用制御手段および高層用制御手段によって少なくともいずれか他方の群管理エレベーターのかごを乗り継ぎ階に割り付けるように構成されている（例えば、特許文献１参照）。
【０００３】
【特許文献１】
特開平６―２６３３３９号公報（段落６、図１，図２）
【０００４】
【発明が解決しようとする課題】
上記のような従来のエレベーターの群管理装置では、例えば低層用群管理エレベーターで乗り継ぎ用ボタンを押し、乗り継ぎ階で高層用群管理エレベーターに乗り換えるようにしているため、低層階のすべてに乗り継ぎ用ボタンが必要になるとともに、乗換えはすべて所定の乗り継ぎ階だけで行われるという問題点がある。
【０００５】
この発明は上記問題点を解消するためになされたもので、乗継ぎボタンを必要とせず、かつ運行上最適の乗継ぎ階で乗り換えられるようにしたエレベーターの群管理装置を提供することを目的とする。
【０００６】
【課題を解決するための手段】
この発明に係るエレベーターの群管理装置は、各かごには、これらのかごの不就役階であってもその不就役階の行先呼びを登録する行先ボタンを配置し、かご内でこのかごの不就役階の行先ボタンが操作されると、このかごと不就役階を就役階とするかごとが同一階に停止することを指令するようにしたものである。
【０００７】
【発明の実施の形態】
実施の形態１．
図１〜図４はこの発明の第１〜第４発明の一実施の形態を示す図で、図１は建物内のエレベーターの運転説明図、図２はブロック線図、図３は各号機のかご内操作盤の正面図、図４は群管理盤の動作フローチャート、図５は各台制御盤の動作フローチャートであり、図中同一符号は同一部分を示す。
【０００８】
図１において、建物１はＢ２階，Ｂ１階，１階〜１１階の階床を有し、♯１号機〜♯５号機の５台のかごＡ〜Ｅ（三角形はかごの走行方向、中央の縦線は戸閉状態を示す。）が配置されている。また、♯２及び♯３号機では、Ｂ２階及びＢ１階は不就役階２となり、♯４及び♯５号機では、１０階及び１１階は不就役階３となっている。したがって、♯１号機では、全階が就役階、♯２及び♯３号機では、１階〜１１階が就役階、♯４及び♯５号機では、Ｂ２階，Ｂ１階，１階〜９階が就役階となっている。
【０００９】
図２において、各号機を１群として群管理制御する群管理盤５と、各号機をそれぞれ制御する各台制御盤６Ａ〜６Ｅとは相互に接続されている。なお、詳細は後述するが、自号機不就役階呼び登録信号７は各台制御盤６Ｂ〜６Ｅ（図では１例として♯４号機制御盤６Ｄ）から出力され、群管理盤５から乗継ぎ運転信号８が各台制御盤６Ａ〜６Ｅ（図では１例として♯２号機制御盤６Ｂ）へ出力される。
【００１０】
図３において、♯１号機のかごには、かご内操作盤１１が設置され、♯２及び♯３号機のかごには、かご内操作盤１２が設置され、♯４及び♯５号機のかごには、かご内操作盤１３が設置されている。かご内操作盤１１〜１３には、それぞれ全階の行先ボタンが配列されているが、かご内操作盤１２のＢ２階及びＢ１階の行先ボタン１４と、かご内操作盤１３の１０階及び１１階の行先ボタン１５には、それぞれその行先ボタン１４，１５の示す階は不就役階であることを示す自号機不就役階表示手段１６，１７が設けられている。
【００１１】
例えば、Ｂ２階及びＢ１階の行先ボタン１４並びに１０階及び１１階の行先ボタン１５の色を、就役階の行先ボタン１８、すなわちかご内操作盤１２では１階〜１１階、かご内操作盤１３ではＢ２階，Ｂ１階，１階〜９階の行先ボタンと異色にしたり、行先ボタン１４，１５近傍の表板の色を他の部分と異色にしたりして乗客に見やすくする。また、戸閉ボタン１９及び戸開ボタン２０が配置されている。
【００１２】
次に、この実施の形態の全体的な動作を説明する。
今、３階の乗場にいる利用者が１１階へ行きたいとする。利用者が３階の乗場上りボタン（図示しない）を押し、♯４号機のかごＤが応答したとする。利用者がかごＤに乗り込み、かご内操作盤１３の自号機不就役階を示す行先ボタン１５中の１１階の行先ボタンを押す。これで、１１階の行先呼びが登録され、♯４号機各台制御盤６Ｄは自号機不就役階呼び登録信号７を群管理盤５へ送出する。
【００１３】
群管理盤５では、１１階に就役可能なかごの中から、最も運行効率がよいかごを選択し、更に最も乗継ぎ停止時間が短い階床を選択する。
すなわち、図１において、かごＢは１１階に就役することが可能であり、かつ上り運転中であることから、最も運行効率が良いかごとなる。そこで、図２に示すように、群管理盤５はかごＢを乗継ぎかごとして選択する。
【００１４】
また、かごＢは７階から９階の間で、かごＤの利用者を乗り継がせることが可能であり、７階から９階の間で、かごＤとの距離及び既に登録された呼びの状態に基づいて、かごＤの到着を待つ時間が最短の階床（例えば８階）を選択する。そして、群管理盤５は、その結果を乗継ぎ運転信号８として♯２号機各台制御盤６Ｂへ伝送する。
同時に、かごＤにはどの階床で乗継ぎをするかというデータを返信する。
【００１５】
かごＤでは、乗継ぎ階である８階にかごＤが到着したときに、かご内のスピーカ（図示しない）から案内放送したり、かご内の表示器（図示しない）に案内表示したりして、利用者に乗り継ぎを通知する。
一方、かごＢは乗継ぎ階に停止すると戸開するが、このときかごＢ内の負荷検出装置（図示しない）やかご戸に設けられた光電装置（図示しない）等によって、乗客のかごＤ内への乗込みを検出した場合、かごＤで登録された行先階（この例では１１階）を自動的に登録する。しかし、一定時間を経過しても利用者の乗込みが検出されない場合は、乗継ぎ運転動作を強制的に終了する。
【００１６】
次に、上記運転動作に伴う群管理動作及び各台制御動作を図４及び図５を参照して説明する。
（１）群管理動作（図４）
ステップＳ１で♯２及び♯３号機かごＢ，Ｃの不就役階であるＢ２階及びＢ１階の行先呼びが登録されたかを判断する。登録された場合はステップＳ２へ進み、登録されていない場合はステップＳ４へ飛ぶ。ステップＳ２へ進むと、♯１，♯４及び♯５号機のかごＡ，Ｄ，Ｅから、運行効率の最も良いかごを選択する。
【００１７】
ステップＳ３では、ステップＳ２で選択されたかごを乗継ぎかごとした場合、乗継ぎ停止時間が最も短くなる階床を選択する。
ステップＳ４で♯４及び♯５号機のかごＤ，Ｅの不就役階である１０階及び１１階の行先呼びが登録されたかを判断し、ステップＳ５，Ｓ６では、ステップＳ２，Ｓ３と同様の手順で、♯１〜♯３号機のかごＡ〜Ｃから運行効率の良いかごを選択し、乗継ぎ停止時間が最も短くなる階床を選択する。
【００１８】
そして、ステップＳ７へ進み、乗継ぎかご（ここではかごＢ）に、上記選択結果として乗継ぎ階及び乗継ぎ後の行先階情報を送信する。また、乗継ぎかご及び乗継ぎ階は、利用者が行先ボタンを押したかご（ここではかごＤ）にも通知される。
【００１９】
（２）各台制御動作（図５）
ステップＳ１１で各エレベーターは群管理盤５から乗継ぎ運転信号８（乗継ぎかご及び乗継ぎ階）を受信したかを判定する。乗継ぎ運転信号８を受信しなければ処理は終了し、受信すればステップＳ１２へ進む。ステップＳ１２でかごは乗継ぎ階に停止する。ステップＳ１３でかごが乗継ぎ階に停止した後、規定時間が経過したかを判定し、規定時間経過していなければ、ステップＳ１４で利用者の乗込みを検出したかを判定する。
【００２０】
乗込みが検出されなければ、ステップＳ１３へ戻ってステップＳ１３，Ｓ１４を繰り返して乗込みを待つ。規定時間内に利用者の乗込みが検出されると、ステップＳ１５へ進んで、この例では、１１階の行先呼びを登録する。規定時間内に利用者の乗込みが検出されなかった場合は、ステップＳ１３からステップＳ１６へ進み、乗継ぎ運転を終了する。
【００２１】
ここで、ステップＳ１〜Ｓ７，Ｓ１１〜Ｓ１６は運転制御手段を、ステップＳ１，Ｓ２，Ｓ４，Ｓ５は就役かご選択手段を、ステップＳ３，Ｓ６は乗継ぎ階選択手段を、Ｓ７は乗継ぎ階表示手段を、ステップＳ１１〜Ｓ１５は行先呼び登録手段を構成している。
このようにして、かごＤ（第１のかご）内で１１階（不就役階）の行先ボタンを押すと、１１階に行けるかごＡ〜Ｃの中からかごＢ（第２のかご）を選択し、かつ乗継ぎ時間が最短の階床（この例では８階）を選択する。そして、かごＢが８階に停止すると、かごＤで登録された１１階の行先呼びをかごＢの行先呼びとして登録する。
【００２２】
これにより、かごＤ及びかごＢは同一階に停止することが指令され、乗場又はかご内に乗継ぎボタンを設けることなく、運行効率の最良のかごに、乗継ぎ時間が最短の階床で乗り換えて、最初に乗り込んだかごでは行けなかった不就役階へ短時間で行くことが可能となる。また、自号機不就役階の行先ボタンは見分けやすく、かつ乗継ぎ階はかご内に報知されるため、乗客に対して利用しやすいものとなっている。
【００２３】
【発明の効果】
以上説明したとおりこの発明では、かご内でこのかごの不就役階の行先ボタンが操作されると、このかごと不就役階を就役階とするかごとが同一階に停止することを指令するようにしたので、乗継ぎボタンを設けることなく、自号機では行けない不就役階へ短時間で到着することができる。
【図面の簡単な説明】
【図１】この発明の実施の形態１を示す建物内のエレベーターの運転説明図。
【図２】この発明の実施の形態１を示すブロック線図。
【図３】この発明の実施の形態１を示す各号機のかご内操作盤の正面図。
【図４】この発明の実施の形態１を示す群管理盤の動作フローチャート。
【図５】この発明の実施の形態１を示す各台制御盤の動作フローチャート。
【符号の説明】
Ａ〜Ｅ  ♯１〜♯５号機のかご、  ２，３  不就役階、  ５  群管理盤、  ６Ａ〜６Ｅ  各台制御盤、  ７  自号機不就役階呼び登録信号、  ８  乗継ぎ運転信号、  １１〜１３  かご内操作盤、  １４，１５不就役階の行先ボタン、  １６，１７  自号機不就役階表示手段、  １８  就役階の行先ボタン。
Ｓ１〜Ｓ７，Ｓ１１〜Ｓ１６  運転制御手段、  Ｓ１，Ｓ２，Ｓ４，Ｓ５  就役かご選択手段、  Ｓ３，Ｓ６  乗継ぎ階選択手段、  Ｓ７  乗継ぎ階表示手段、  Ｓ１１〜Ｓ１５  行先呼び登録手段。
【図１】
2004307075.tif 000003
【図２】
2004307075.tif 000004
【図３】
2004307075.tif 000005
【図４】
2004307075.tif 000006
【図５】
2004307075.tif 000007